(57)【要約】【課題】側溝用ブロックに上蓋用ブロックを閉蓋した場合に車両の走行振動等により上蓋用ブロックがずれたり外れたりする。これを放置すると歩行者に思わぬ危険がある。そのために両ブロックをボルトや固定具等を介して締付け固定することが行われている。【解決手段】側溝用ブロックと上蓋用ブロックの金具による閉蓋固定構造において、側溝用金具は、雌ネジ筒体の少なくとも断面中央線よりも略上方部分を筒体長手方向に沿って切欠し、この長手切欠部分を連結ボルト摺動用溝部とすると共に、雌ネジ筒体中には雌ネジと螺合しないで当接しながらスライド可能な略半円弧状の雄ネジ摺動体を位置調整自在に収納し、雄ネジ摺動体の上面には連結ボルトを立設すると共に、上蓋用金具は、平板状の圧接体に連結ボルト挿通孔を設けてなることとした。【選択図】図９
2019218835.tif 000002
【特許請求の範囲】
【請求項１】
側溝ブロックの天端に蓋連結用の側溝用金具を埋設しその上面はブロック表面と面一で露出状態とし、
上蓋ブロックの側縁底面に平板状の圧接体からなる上蓋用金具を埋設しその表面はブロック表面と面一で露出状態とし、
側溝ブロックに上蓋ブロックを閉蓋した状態で側溝用金具の露出面と上蓋用金具の露出面とを上下当接接合状態になるように構成し、
しかも、側溝用金具は前側面開放で天井面にボルト本体挿通用の長孔を設けた中空ケースより構成し、中空ケースの内部にはワッシャとボルト頭を収納するボルト頭保持空間とし、
上蓋用金具は、中央に連結ボルト挿通孔を設けた圧接板より構成し、
側溝ブロックに上蓋ブロックを閉蓋した状態において、側溝用金具における中空ケースのボルト頭保持空間からボルト本体挿通用の長孔上方に突出した連結ボルトを連結ボルト挿通孔から上蓋用金具の圧接板上方に突出し、該連結ボルトに圧接枠体上面で締付けナットを螺着して側溝用金具に上蓋用金具を密着接合状態とすることにより側溝ブロックに上蓋ブロックを閉蓋固定したことを特徴とする側溝用ブロックと上蓋用ブロックの金具による閉蓋固定構造。
【請求項２】
側溝用金具には側溝用アンカーを垂設し、上蓋用金具には蓋用アンカーを立設したことを特徴とする請求項１に記載の側溝用ブロックと上蓋用ブロックの金具による閉蓋固定構造。
【請求項３】
側溝用金具のボルト頭保持空間は連結ボルト頭部の回り止め構造としたことを特徴とする請求項１又は請求項２に記載の側溝用ブロックと上蓋用ブロックの金具による閉蓋固定構造。
【請求項４】
連結ボルト挿通孔から圧接体上方に突出した連結ボルト及び連結ボルトに螺合締付けする締付けナットはいづれも上蓋ブロックに設けた上面通水孔から締め付け解除操作が可能となるような上面通水孔と相対する位置に配設したことを特徴とする請求項１〜３のいずれか１項に記載の側溝用ブロックと上蓋用ブロックの金具による閉蓋固定構造。
【発明の詳細な説明】
【技術分野】
【０００１】
この発明は、側溝用ブロックに上蓋用ブロックを固定したり取外したりするために両ブロックに適合する所定構造の金具を介して取外し固定作業が行えるように構成した側溝用ブロックと上蓋用ブロックの金具による閉蓋固定構造に関する。
【背景技術】
【０００２】
従来、側溝用ブロックに上蓋用ブロックを閉蓋した場合に車両の走行振動等により上蓋用ブロックがずれたり外れたりする。これを放置すると歩行者に思わぬ危険がある。
【０００３】
そのために両ブロックをボルトや固定具等を介して締付け固定することが行われている（例えば、特許文献１及び特許文献２参照。）。
【先行技術文献】
【特許文献】
【０００４】
【特許文献１】実全昭６２−０８９３８７号公報
【特許文献２】特開２０００−２９１１１８号公報
【発明の概要】
【発明が解決しようとする課題】
【０００５】
従来技術のようにボルトにより両ブロックを締付け固定する方法が実施されているが、ボルトの締め付け構造が脆弱で側溝用ブロックに上蓋用ブロックを長期間完全に閉蓋固定することができず老朽化と相俟って路上事故発生の原因となっていた。
【０００６】
反対に余りにも強固に上蓋用ブロックを固定すると必要に応じて蓋用ブロックを取外す必要が生起した場合にその取外し作業が煩雑になったり、また固定用のボルトが腐食してボルトの解除操作が不可能となり蓋用ブロックの取外し作業ができなくなったり等の種々の問題が生起しており、これらの課題を放置すると不用意に蓋用ブロックが外れて走行車に思わぬ事故を生起し、また、歩行者の歩行に支障を生起する虞があった。
【０００７】
本発明は、かかる事情に鑑みてなされたものであって、側溝用ブロックに上蓋用ブロックを固定したり取外したりするために両ブロックに適合する所定構造の金具を介して取外し固定作業が行えるように構成した側溝用ブロックと上蓋用ブロックの金具による閉蓋固定構造を提供するものである。
【課題を解決するための手段】
【０００８】
上記従来の課題を解決するために、本発明では、側溝ブロックの天端に蓋連結用の側溝用金具を埋設しその上面はブロック表面と面一で露出状態とし、上蓋ブロックの側縁底面に平板状の圧接体からなる上蓋用金具を埋設しその表面はブロック表面と面一で露出状態とし、側溝ブロックに上蓋ブロックを閉蓋した状態で側溝用金具の露出面と上蓋用金具の露出面とを上下当接接合状態になるように構成し、しかも、側溝用金具は前側面開放で天井面にボルト本体挿通用の長孔を設けた中空ケースより構成し、中空ケースの内部にはワッシャとボルト頭を収納するボルト頭保持空間とし、上蓋用金具は、中央に連結ボルト挿通孔を設けた圧接板より構成し、側溝ブロックに上蓋ブロックを閉蓋した状態において、側溝用金具における中空ケースのボルト頭保持空間からボルト本体挿通用の長孔上方に突出した連結ボルトを連結ボルト挿通孔から上蓋用金具の圧接板上方に突出し、該連結ボルトに圧接板上面で締付けナットを螺着して側溝用金具に上蓋用金具を密着接合状態とすることにより側溝ブロックに上蓋ブロックを閉蓋固定したことを特徴とする側溝用ブロック
と上蓋用ブロックの金具による閉蓋固定構造を提供せんとするものである。
【０００９】
また、本発明にかかる閉蓋固定構造では、側溝用金具には側溝用アンカーを垂設し、上蓋用金具には蓋用アンカーを立設したことを特徴とする。
【００１０】
また、本発明にかかる閉蓋固定構造では、側溝用金具のボルト頭保持空間は連結ボルト頭部の回り止め構造としたことを特徴とする。
【００１１】
また、本発明にかかる閉蓋固定構造では、連結ボルト挿通孔から圧接体上方に突出した連結ボルト及び連結ボルトに螺合締付けする締付けナットはいづれも上蓋ブロックに設けた上面通水孔から締め付け解除操作が可能となるような上面通水孔と相対する位置に配設したことを特徴とする。
【発明の効果】
【００１２】
請求項１に係る発明によれば、側溝ブロックの天端に蓋連結用の側溝用金具を埋設しその上面はブロック表面と面一で露出状態とし、上蓋ブロックの側縁底面に平板状の圧接体からなる上蓋用金具を埋設しその表面はブロック表面と面一で露出状態とし、側溝ブロックに上蓋ブロックを閉蓋した状態で側溝用金具の露出面と上蓋用金具の露出面とを上下当接接合状態になるように構成したので、予め各ブロックに埋設した側溝用金具と上蓋用金具とを当接して接合することにより各ブロック全体の確実な接合が行われて不用意に上蓋ブロックが外れる虞がない。
【００１３】
しかも、側溝用金具は前側面開放で天井面にボルト本体挿通用の長孔を設けた中空ケースより構成し、中空ケースの内部にはワッシャとボルト頭を収納するボルト頭保持空間とし、上蓋用金具は、中央に連結ボルト挿通孔を設けた圧接板より構成し、側溝ブロックに上蓋ブロックを閉蓋した状態において、側溝用金具における中空ケースのボルト頭保持空間からボルト本体挿通用の長孔上方に突出した連結ボルトを連結ボルト挿通孔から上蓋用金具の圧接板上方に突出するように構成し、更に該連結ボルトに圧接板上面で締付けナットを螺着して側溝用金具に上蓋用金具を密着接合状態としたことにより、側溝ブロックに上蓋ブロックを閉蓋固定した場合各金具の接合固定が連結ボルトとナットの螺合緊締を介して行われ確実に各ブロックの一体連結が可能となる効果がある。
【００１４】
更に、連結ボルトの緊締作業もナットとの螺合操作により行われるため各ブロックの接合固定作業を簡単に行うことができる効果がある。
【００１５】
また、側溝ブロック内の点検時等に上蓋ブロックを外す必要が生じた時も連結ボルトからナットを外すだけの簡単な作業で側溝ブロック内の点検が行える効果がある。
【００１６】
請求項２の発明によれば、側溝用金具には側溝用アンカーを垂設し、上蓋用金具には蓋用アンカーを立設したことにより、各金具を各ブロック内に確実に埋設固定することができる効果がある。
【００１７】
請求項３の発明によれば、側溝用金具のボルト頭保持空間は連結ボルト頭部の回り止め構造としたことにより側溝用ブロックの金具と上蓋用ブロックの金具との連結ボルトによる接合が簡単な構造で確実な固定が行われる効果がある。
【００１８】
請求項４の発明によれば、連結ボルト挿通孔から圧接板上方に突出した連結ボルト及び連結ボルトに螺合締付けする締付けナットはいづれも上蓋ブロックに設けた上面通水孔から締め付け解除操作が可能となるような上面通水孔と相対する位置に配設したことにより、連結ボルト挿通孔から圧接体上方に突出した連結ボルト及び締付けナットの螺合締付け
操作位置が上面通水孔と相対して位置することになるため、上蓋ブロックに設けた上面通水孔からレンチ等の治具を挿入して連結ボルトの締付け解除作業を行うことができ、上蓋ブロックを閉蓋したままでの固定解除が可能となる効果がある。
【図面の簡単な説明】
【００１９】
【図１】本発明の閉蓋固定構造を備えた側溝用ブロックと上蓋用ブロックの構成を示す全体斜視図である。
【図２】本発明に係る側溝用金具を備える側溝用ブロックの構成を示す斜視図である。
【図３】本発明に係る側溝用金具を備える側溝用ブロックの構成を示す平面図である。
【図４】本発明に係る上蓋用金具を備える上蓋用ブロックの構成を示す斜視図である。
【図５】本発明に係る上蓋用金具を備える上蓋用ブロックの構成を示す拡大平面図である。
【図６】本発明に係る上蓋用金具を備える上蓋用ブロックの構成を示す拡大底面図である。
【図７】本発明の閉蓋固定構造を構成する側溝用金具と上蓋用金具の構成を示す斜視図である。
【図８】本発明に係る側溝用金具の構成を示すＡ−Ａ断面図である。
【図９】本発明に係る側溝用金具と上蓋用金具との上下当接接合状態を示す斜視図である。
【図１０】本発明の閉蓋固定構造を備えた側溝用ブロックと上蓋用ブロックの変形例１を示す平面図である。
【図１１】本発明の閉蓋固定構造を備えた側溝用ブロックと上蓋用ブロックの変形例２を示す平面図である。
【図１２】本発明の閉蓋固定構造を備えた側溝用ブロックの変形例２を示す斜視図である。
【図１３】本発明の変形例２に係る三角形状ブロックの構成を示す斜視図である。
【図１４】本発明の変形例２に係る上蓋ブロックの上面通水孔の配置構成を示す平面図である。
【発明を実施するための形態】
【００２０】
この発明の要旨は、側溝ブロックの天端に蓋連結用の側溝用金具を埋設しその上面はブロック表面と面一で露出状態とし、上蓋ブロックの側縁底面に平板状の圧接体からなる上蓋用金具を埋設しその表面はブロック表面と面一で露出状態とし、側溝ブロックに上蓋ブロックを閉蓋した状態で側溝用金具の露出面と上蓋用金具の露出面とを上下当接接合状態になるように構成し、しかも、側溝用金具は前側面開放で天井面にボルト本体挿通用の長孔を設けた中空ケースより構成し、中空ケースの内部にはワッシャとボルト頭を収納するボルト頭保持空間とし、上蓋用金具は、中央に連結ボルト挿通孔を設けた圧接板より構成し、側溝ブロックに上蓋ブロックを閉蓋した状態において、側溝用金具における中空ケースのボルト頭保持空間からボルト本体挿通用の長孔上方に突出した連結ボルトを連結ボルト挿通孔から上蓋用金具の圧接板上方に突出し、該連結ボルトに圧接枠板上面で締付けナットを螺着して側溝用金具に上蓋用金具を密着接合状態とすることにより側溝ブロックに上蓋ブロックを閉蓋固定したことにある。
【００２１】
また、側溝用金具には側溝用アンカーを垂設し、上蓋用金具には蓋用アンカーを立設したことにある。
【００２２】
また、側溝用金具のボルト頭保持空間は連結ボルト頭部の回り止め構造としたことにある。
【００２３】
また、連結ボルト挿通孔から圧接板上方に突出した連結ボルト及び連結ボルトに螺合締付けする締付けナットはいづれも上蓋ブロックに設けた上面通水孔から締め付け解除操作が可能となるような上面通水孔と相対する位置に配設したことにある。
【００２４】
この発明の実施例を図面に基づき詳説する。図１は本発明の閉蓋固定構造を備えた側溝用ブロックと上蓋用ブロックの構成を示す全体斜視図、図２及び図３は側溝用金具を備える側溝用ブロックの構成を示す斜視図及び平面図、図４は上蓋用金具を備える上蓋用ブロックの構成を示す斜視図、図５及び図６は上蓋用金具を備える上蓋用ブロックの構成を示す拡大平面図及び拡大底面図、図７は閉蓋固定構造を構成する側溝用金具と上蓋用金具の構成を示す斜視図、図８は側溝用金具の構成を示すＡ−Ａ断面図、図９は側溝用金具と上蓋用金具との上下当接接合状態を示す斜視図である。
【００２５】
図７中符号１０は、側溝ブロック１の天端に埋設した蓋連結用の側溝用金具である。かかる側溝用金具１０は、図１乃至図３に示すように側溝ブロック１の金型成型時にその表面１０ａを側溝ブロック１の上面１ａと面一で露出状態となるようにブロック用金型にコンクリートを流入する時一体に埋設する。
【００２６】
上蓋ブロック２の側縁底面２ａには、図１、図４乃至図６に示すように、平板状の圧接板２１からなる上蓋用金具２０が埋設されており、その表面２０ａはブロック表面（側縁底面２ａ）と面一で露出状態としている。
【００２７】
側溝ブロック１に上蓋ブロック２を閉蓋した状態では、図９に示すように、側溝用金具１０の露出面１０ａと上蓋用金具２０の露出面２０ａとは上下当接接合状態となるように構成している。
【００２８】
また、上蓋用金具２０は、図７に示すように、平板状の圧接板２１に連結ボルト挿通孔２２を設けて構成しており、側溝ブロック１に上蓋ブロック２を閉蓋した際に、下方の側溝用金具１０から突出した連結ボルト３０が連結ボルト挿通孔２２から圧接板２１上方に突出するように構成している。
【００２９】
そして、この突出した連結ボルト３０に締付けナット３１を螺着締付けすることにより側溝用金具１０に上蓋用金具２０を接合して一体の締付け状態とすることができる。
【００３０】
なお、側溝用金具１０及び上蓋用金具２０には、図７に示すように、略Ｌ字形状の側溝用アンカー１３及び蓋用アンカー２３を突設している。各アンカ―１３、２３は、図１乃至図６に示すように、略Ｌ型に形成し金具１０、２０と共にブロックに埋設することにより各金具１０、２０のブロック内での固定を確実にしている。
【００３１】
しかも、側溝用金具１０は、図７及び図８に示すように前側面開放で天井面（露出面１０ａ）にボルト本体挿通用の長孔１２を設けた中空ケース１１より構成し、中空ケース１１の内部にはワッシャ３２とボルト頭３０ａを収納するボルト頭保持空間１６とし、上蓋用金具２０は、中央に連結ボルト挿通孔２２を設けた圧接板２１より構成し、側溝ブロック１に上蓋ブロック２を閉蓋した状態において、側溝用金具１０における中空ケース１１のボルト頭保持空間１６からボルト本体挿通用の長孔１２上方に突出した連結ボルト３０を連結ボルト挿通孔２２から上蓋用金具２０の圧接板２１上方に突出し、しかも、ボルト頭保持空間１６はボルト３０の六角頭部３０ａが嵌着してボルト３０の回転ができないように連結ボルト頭部３０ａの回り止め構造を形成している。
【００３２】
正確には、図７に示すようにボルト３０の六角頭部幅員Ｄ１とボルト頭保持部幅員Ｄ２とを略同一の嵌着幅としている。
【００３３】
上蓋用金具２０は、図７に示すように圧接板２１の中央部で連結ボルト挿通孔２２を形成している。
【００３４】
そして、側溝ブロック１に上蓋ブロック２を閉蓋した状態において側溝用金具１０のボルト頭保持空間１６から上方に突出した連結ボルト３０が連結ボルト挿通孔２２を挿通して上蓋用金具２０の圧接板２１上方に突出するように構成している。
【００３５】
該連結ボルト３０には締付けナット３１が螺合されており、圧接板上面２０ｂで締付けナット３１を螺合方向に締付け回転することにより締付けナット３１と連結ボルト頭部３０ａとの間にワッシャ３２を介して側溝用金具１０のボルト頭保持部天板１０ｂと上蓋用金具２０の圧接板２１とが挟持されて、図９に示すように側溝用金具１０と上蓋用金具２０との一体接合がなされる。
【００３６】
なお、連結ボルト頭部３０ａ及び締付けナット３１にはワッシャ３２が付設されており、特に側溝用金具１０は前側面開放で天井面１０ａにボルト本体挿通用の長孔１２を設けた中空ケース１１より構成し、中空ケース１１の内部にはワッシャ３２とボルト頭３０ａを収納するボルト頭保持空間１６としているために該空間左右壁面には、図７乃至図９に示すようにワッシャ３２とボルト頭３０ａを収納するための段差を形成している。
【００３７】
しかも、連結ボルト挿通孔２２から圧接板２１上方に突出した連結ボルト３０及び連結ボルト３０に螺合締付けする締付けナット３１の位置は、図１、図４乃至図６に示すように上蓋ブロック２に設けた上面通水孔２ｂと相対する上下位置に配設されている。従って、上蓋ブロック２に設けた上面通水孔２ｂからレンチ等の治具を使用して締め付け解除操作が可能となる。
【００３８】
かかる構成により上蓋ブロック２を側溝ブロック１に閉蓋した状態でも上面通水孔２ｂから挿入したレンチ等の治具を使用して上蓋ブロック２の上方から締付けナット３１の締め付け及び弛緩作業を行うことができる。なお、側溝ブロック１に側溝用金具１０を埋設する場合には、側溝ブロック１の内側面を内方へ膨出して膨出部１'に側溝用金具１０を
埋設することにした。
【００３９】
次の説明は他の変形実施例を示すものであり、上蓋ブロックと側溝ブロックがコーナー部を構成している変形実施例である。図１０は変形例１に係る上蓋ブロックと側溝ブロックの構成を示す平面図、図１１及び図１２は変形例２に係る上蓋ブロックと側溝ブロックの構成を示す平面図及び斜視図、図１３は変形例２に係る三角形状ブロックの構成を示す斜視図、図１４は変形例２に係る上蓋ブロックの上面通水孔の配置構成を示す平面図である。
【００４０】
〔変形例１〕
上蓋ブロック５０と側溝ブロック４０は、図１０に示すように、コーナー部３に合致するように前後のつなぎ目となる端部を斜めに切削した形状として斜め切削部４０ｃ、５０ｃを接合してコーナー部３を形成する。
【００４１】
この形状の側溝ブロック４０は、コーナー部３のアール形状に応じて斜め切削部４０ｃの傾斜角度を数種類形成しておけば現場のコーナー部３のアール形状に相当する切削部４０ｃのブロックを選択して前後組み合わせ連結して所望のコーナー部を形成する。
【００４２】
なお、前後のブロックの端部を斜めに切削した形状のブロックは上蓋ブロック５０と側溝ブロック４０の両方に形成しておく。
【００４３】
〔変形例２〕
図１１に示すように、通常の直線接合に使用する長方形状の上蓋ブロック７０と側溝ブロック６０を使用し、コーナー部３においては前後のブロックを所要数コーナー部をなぞる様に斜めに配置し、ブロックの外側及び内側に形成される三角形状の空隙に別途設けた型枠を設けて型枠内にコンクリートを流入固化して三角形状ブロック三角形状ブロック８０、８０’を形成してコーナー部３を形成するものである。
【００４４】
この際、側溝ブロック６０の断面コの字状の底部６１は、図１２に示すように、一方の側溝ブロック６０の底部端縁部には底部６１より薄い肉厚の円形凸部９０を一体に突設し、接合する他方の側溝ブロック６０’の底部端縁部には円形凹部９１を形成しておき、各ブロック６０、６０’をコーナー部３にそって配置する時に円形凸部９０と円形凹部９１とを嵌着して両ブロック６０、６０’を回動自在に連結している。なお、三角形状ブロック８０、８０’の底部端縁部８１ｄにも図１３に示すように円形凹部８１、８１’を形成している。
【００４５】
かかる凹凸嵌着構造を介して連結することにより長方形状の前後側溝ブロック６０、６０’を円形凸部９０と円形凹部９１を介して回動させて連結角度を微調整しながらコーナー部３のアール曲率形状に合致するように配置することができると共に、前後側溝ブロック６０、６０’を円形凸部９０と円形凹部９１を介して強固に連結することができる。なお、肉厚の円形凸部９０の上部には、コンクリートを流入して底部６１と面一に形成する。図中９０’は円形凸部９０の中央に突設した把手を示す。
【００４６】
上記のように形成された円形凹凸部９１、９０は、図１２に示すように本体を真円形状としており、従って、この円形凹凸部９１、９０を間に介して前後に接合する側溝ブロック６０、６０’の継ぎ目を折曲してコーナー部３のブロック連結を構成することができる。
【００４７】
しかも、特に図１２に示すこの変形実施例においては、図１４（ａ）及び図１４（ｂ）に示すように側溝ブロック６０、６０’等の連続する各ブロック上面に閉蓋する上蓋ブロック７０の上面通水孔２ｂを定尺に配することができることになり、コーナー部３における上蓋ブロック７０、７０・・・の上面通水孔２ｂの位置外観を整順とした等間隔とすることになり、ブロック外観の美感を出すことができる効果がある。
【００４８】
すなわち、円形凹凸部９１、９０は、側溝ブロック６０、６０’の継ぎ目の中央位置に配すると共に、図１４（ａ）及び図１４（ｂ）に示すように上蓋ブロック７０の上面通水孔２ｂは予め各上蓋ブロック７０に２個ずつ形成し、その内幅を上蓋ブロック７０の中心線Ｃの長さＬの1/2（1/2Ｌ）とし、上面通水孔２ｂと上蓋ブロック７０端縁との間隔を1/4Ｌの長さにしている。
【００４９】
なお、降雨量の多い区域や降雨による雨水が流れ集まる集水区域に側溝ブロック６０及び上蓋ブロック７０を設置する場合には、必要に応じて上蓋ブロック７０の上面通水孔２ｂの増設を行う。例えば、上面通水孔２ｂは、上蓋ブロック７０に３個形成し、その内幅を上蓋ブロック７０の中心線Ｃの長さＬの1/4（1/4Ｌ）としてもよい。
【００５０】
従って、図１０及び図１４（ａ）に示すように、コーナー部３を形成した場合には、上蓋ブロック７０（５０）の上面通水孔２ｂは前後の各上蓋ブロック７０、７０（５０、５０）における上面通水孔２ｂが全て等間隔の1/2Ｌとなって整順した美麗なコーナー部３の上蓋ブロック７０、７０（５０、５０）を形成することができる。
【００５１】
このように上面通水孔２ｂを設けた上蓋ブロック７０の中心線Ｃ上での左右の規格長さを定尺とすることにより、コーナー部３において等間隔の上面通水孔２ｂを形成することができ、コーナー部３における定尺組合せブロックとすることができる。
【符号の説明】
【００５２】
１  側溝ブロック
２  上蓋ブロック
１０  側溝用金具
１１  中空ケース
１２  長孔
１３  側溝用アンカー
２０  上蓋用金具
２１  圧接板
２２  連結ボルト挿通孔
２３  蓋用アンカー
３０  連結ボルト
３１  締付けナット
３２  ワッシャ
【図１】
2019218835.tif 000003
【図２】
2019218835.tif 000004
【図３】
2019218835.tif 000005
【図４】
2019218835.tif 000006
【図５】
2019218835.tif 000007
【図６】
2019218835.tif 000008
【図７】
2019218835.tif 000009
【図８】
2019218835.tif 000010
【図９】
2019218835.tif 000011
【図１０】
2019218835.tif 000012
【図１１】
2019218835.tif 000013
【図１２】
2019218835.tif 000014
【図１３】
2019218835.tif 000015
【図１４】
2019218835.tif 000016
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
側溝ブロックの天端に蓋連結用の側溝用金具を埋設しその上面はブロック表面と面一で露出状態とし、
上蓋ブロックの側縁底面に平板状の圧接体からなる上蓋用金具を埋設しその表面はブロック表面と面一で露出状態とし、
側溝ブロックに上蓋ブロックを閉蓋した状態で側溝用金具の露出面と上蓋用金具の露出面とを上下当接接合状態になるように構成し、
しかも、側溝用金具は側溝ブロックの内側面側開放で天井面にボルト本体挿通用の長孔を設けた中空ケースより構成し、中空ケースの内部にはワッシャとボルト頭を収納するボルト頭保持空間とし、
上蓋用金具は、中央に連結ボルト挿通孔を設けた圧接体より構成し、
側溝ブロックに上蓋ブロックを閉蓋した状態において、側溝用金具における中空ケースのボルト頭保持空間からボルト本体挿通用の長孔上方に突出した連結ボルトを連結ボルト挿通孔から上蓋用金具の圧接体上方に突出し、該連結ボルトに圧接体上面で締付けナットを螺着して側溝用金具に上蓋用金具を密着接合状態とすることにより側溝ブロックに上蓋ブロックを閉蓋固定したことを特徴とする側溝用ブロックと上蓋用ブロックの金具による閉蓋固定構造。
【請求項２】
側溝用金具には側溝用アンカーを垂設し、上蓋用金具には蓋用アンカーを立設したことを特徴とする請求項１に記載の側溝用ブロックと上蓋用ブロックの金具による閉蓋固定構造。
【請求項３】
側溝用金具のボルト頭保持空間は連結ボルト頭部の回り止め構造としたことを特徴とする請求項１又は請求項２に記載の側溝用ブロックと上蓋用ブロックの金具による閉蓋固定構造。
【請求項４】
連結ボルト挿通孔から圧接体上方に突出した連結ボルト及び連結ボルトに螺合締付けする締付けナットはいづれも上蓋ブロックに設けた上面通水孔から締め付け解除操作が可能となるような上面通水孔と相対する位置に配設したことを特徴とする請求項１〜３のいずれか１項に記載の側溝用ブロックと上蓋用ブロックの金具による閉蓋固定構造。
【手続補正２】
【補正対象書類名】明細書
【補正対象項目名】０００８
【補正方法】変更
【補正の内容】
【０００８】
上記従来の課題を解決するために、本発明では、側溝ブロックの天端に蓋連結用の側溝用金具を埋設しその上面はブロック表面と面一で露出状態とし、上蓋ブロックの側縁底面に平板状の圧接体からなる上蓋用金具を埋設しその表面はブロック表面と面一で露出状態とし、側溝ブロックに上蓋ブロックを閉蓋した状態で側溝用金具の露出面と上蓋用金具の露出面とを上下当接接合状態になるように構成し、しかも、側溝用金具は側溝ブロックの内側面側開放で天井面にボルト本体挿通用の長孔を設けた中空ケースより構成し、中空ケースの内部にはワッシャとボルト頭を収納するボルト頭保持空間とし、上蓋用金具は、中央に連結ボルト挿通孔を設けた圧接体より構成し、側溝ブロックに上蓋ブロックを閉蓋した状態において、側溝用金具における中空ケースのボルト頭保持空間からボルト本体挿通用の長孔上方に突出した連結ボルトを連結ボルト挿通孔から上蓋用金具の圧接体上方に突出し、該連結ボルトに圧接体上面で締付けナットを螺着して側溝用金具に上蓋用金具を密着接合状態とすることにより側溝ブロックに上蓋ブロックを閉蓋固定したことを特徴とする側溝用ブロックと上蓋用ブロックの金具による閉蓋固定構造を提供せんとするものである。
【手続補正３】
【補正対象書類名】明細書
【補正対象項目名】００１３
【補正方法】変更
【補正の内容】
【００１３】
しかも、側溝用金具は側溝ブロックの内側面側開放で天井面にボルト本体挿通用の長孔を設けた中空ケースより構成し、中空ケースの内部にはワッシャとボルト頭を収納するボルト頭保持空間とし、上蓋用金具は、中央に連結ボルト挿通孔を設けた圧接体より構成し、側溝ブロックに上蓋ブロックを閉蓋した状態において、側溝用金具における中空ケースのボルト頭保持空間からボルト本体挿通用の長孔上方に突出した連結ボルトを連結ボルト挿通孔から上蓋用金具の圧接体上方に突出するように構成し、更に該連結ボルトに圧接体上面で締付けナットを螺着して側溝用金具に上蓋用金具を密着接合状態としたことにより、側溝ブロックに上蓋ブロックを閉蓋固定した場合各金具の接合固定が連結ボルトとナットの螺合緊締を介して行われ確実に各ブロックの一体連結が可能となる効果がある。
【手続補正４】
【補正対象書類名】明細書
【補正対象項目名】００１８
【補正方法】変更
【補正の内容】
【００１８】
請求項４の発明によれば、連結ボルト挿通孔から圧接体上方に突出した連結ボルト及び連結ボルトに螺合締付けする締付けナットはいづれも上蓋ブロックに設けた上面通水孔から締め付け解除操作が可能となるような上面通水孔と相対する位置に配設したことにより、連結ボルト挿通孔から圧接体上方に突出した連結ボルト及び締付けナットの螺合締付け操作位置が上面通水孔と相対して位置することになるため、上蓋ブロックに設けた上面通水孔からレンチ等の治具を挿入して連結ボルトの締付け解除作業を行うことができ、上蓋ブロックを閉蓋したままでの固定解除が可能となる効果がある。
【手続補正５】
【補正対象書類名】明細書
【補正対象項目名】００２０
【補正方法】変更
【補正の内容】
【００２０】
この発明の要旨は、側溝ブロックの天端に蓋連結用の側溝用金具を埋設しその上面はブロック表面と面一で露出状態とし、上蓋ブロックの側縁底面に平板状の圧接体からなる上蓋用金具を埋設しその表面はブロック表面と面一で露出状態とし、側溝ブロックに上蓋ブロックを閉蓋した状態で側溝用金具の露出面と上蓋用金具の露出面とを上下当接接合状態になるように構成し、しかも、側溝用金具は側溝ブロックの内側面側開放で天井面にボルト本体挿通用の長孔を設けた中空ケースより構成し、中空ケースの内部にはワッシャとボルト頭を収納するボルト頭保持空間とし、上蓋用金具は、中央に連結ボルト挿通孔を設けた圧接体より構成し、側溝ブロックに上蓋ブロックを閉蓋した状態において、側溝用金具における中空ケースのボルト頭保持空間からボルト本体挿通用の長孔上方に突出した連結ボルトを連結ボルト挿通孔から上蓋用金具の圧接体上方に突出し、該連結ボルトに圧接体上面で締付けナットを螺着して側溝用金具に上蓋用金具を密着接合状態とすることにより側溝ブロックに上蓋ブロックを閉蓋固定したことにある。
【手続補正６】
【補正対象書類名】明細書
【補正対象項目名】００２３
【補正方法】変更
【補正の内容】
【００２３】
また、連結ボルト挿通孔から圧接体上方に突出した連結ボルト及び連結ボルトに螺合締付けする締付けナットはいづれも上蓋ブロックに設けた上面通水孔から締め付け解除操作が可能となるような上面通水孔と相対する位置に配設したことにある。
【手続補正７】
【補正対象書類名】明細書
【補正対象項目名】００２６
【補正方法】変更
【補正の内容】
【００２６】
上蓋ブロック２の側縁底面２ａには、図１、図４乃至図６に示すように、平板状の圧接体２１からなる上蓋用金具２０が埋設されており、その表面２０ａはブロック表面（側縁底面２ａ）と面一で露出状態としている。
【手続補正８】
【補正対象書類名】明細書
【補正対象項目名】００２８
【補正方法】変更
【補正の内容】
【００２８】
また、上蓋用金具２０は、図７に示すように、平板状の圧接体２１に連結ボルト挿通孔２２を設けて構成しており、側溝ブロック１に上蓋ブロック２を閉蓋した際に、下方の側溝用金具１０から突出した連結ボルト３０が連結ボルト挿通孔２２から圧接体２１上方に突出するように構成している。
【手続補正９】
【補正対象書類名】明細書
【補正対象項目名】００３１
【補正方法】変更
【補正の内容】
【００３１】
しかも、側溝用金具１０は、図７及び図８に示すように側溝ブロックの内側面側開放で天井面（露出面１０ａ）にボルト本体挿通用の長孔１２を設けた中空ケース１１より構成し、中空ケース１１の内部にはワッシャ３２とボルト頭３０ａを収納するボルト頭保持空間１６とし、上蓋用金具２０は、中央に連結ボルト挿通孔２２を設けた圧接体２１より構成し、側溝ブロック１に上蓋ブロック２を閉蓋した状態において、側溝用金具１０における中空ケース１１のボルト頭保持空間１６からボルト本体挿通用の長孔１２上方に突出した連結ボルト３０を連結ボルト挿通孔２２から上蓋用金具２０の圧接体２１上方に突出し、しかも、ボルト頭保持空間１６はボルト３０の六角頭部３０ａが嵌着してボルト３０の回転ができないように連結ボルト頭部３０ａの回り止め構造を形成している。
【手続補正１０】
【補正対象書類名】明細書
【補正対象項目名】００３３
【補正方法】変更
【補正の内容】
【００３３】
上蓋用金具２０は、図７に示すように圧接体２１の中央部で連結ボルト挿通孔２２を形成している。
【手続補正１１】
【補正対象書類名】明細書
【補正対象項目名】００３４
【補正方法】変更
【補正の内容】
【００３４】
そして、側溝ブロック１に上蓋ブロック２を閉蓋した状態において側溝用金具１０のボルト頭保持空間１６から上方に突出した連結ボルト３０が連結ボルト挿通孔２２を挿通して上蓋用金具２０の圧接体２１上方に突出するように構成している。
【手続補正１２】
【補正対象書類名】明細書
【補正対象項目名】００３５
【補正方法】変更
【補正の内容】
【００３５】
該連結ボルト３０には締付けナット３１が螺合されており、圧接体上面２０ｂで締付けナット３１を螺合方向に締付け回転することにより締付けナット３１と連結ボルト頭部３０ａとの間にワッシャ３２を介して側溝用金具１０のボルト頭保持部天板１０ｂと上蓋用金具２０の圧接体２１とが挟持されて、図９に示すように側溝用金具１０と上蓋用金具２０との一体接合がなされる。
【手続補正１３】
【補正対象書類名】明細書
【補正対象項目名】００３６
【補正方法】変更
【補正の内容】
【００３６】
なお、連結ボルト頭部３０ａ及び締付けナット３１にはワッシャ３２が付設されており、特に側溝用金具１０は側溝ブロックの内側面側開放で天井面１０ａにボルト本体挿通用の長孔１２を設けた中空ケース１１より構成し、中空ケース１１の内部にはワッシャ３２とボルト頭３０ａを収納するボルト頭保持空間１６としているために該空間左右壁面には、図７乃至図９に示すようにワッシャ３２とボルト頭３０ａを収納するための段差を形成している。
【手続補正１４】
【補正対象書類名】明細書
【補正対象項目名】００３７
【補正方法】変更
【補正の内容】
【００３７】
しかも、連結ボルト挿通孔２２から圧接体２１上方に突出した連結ボルト３０及び連結ボルト３０に螺合締付けする締付けナット３１の位置は、図１、図４乃至図６に示すように上蓋ブロック２に設けた上面通水孔２ｂと相対する上下位置に配設されている。従って、上蓋ブロック２に設けた上面通水孔２ｂからレンチ等の治具を使用して締め付け解除操作が可能となる。
【手続補正１５】
【補正対象書類名】明細書
【補正対象項目名】００５２
【補正方法】変更
【補正の内容】
【００５２】
１  側溝ブロック
２  上蓋ブロック
１０  側溝用金具
１１  中空ケース
１２  長孔
１３  側溝用アンカー
２０  上蓋用金具
２１  圧接体
２２  連結ボルト挿通孔
２３  蓋用アンカー
３０  連結ボルト
３１  締付けナット
３２  ワッシャ